(57)【要約】【課題】左右一対として緊縛された両エアゾール缶を１箇の容器として、該容器上部へ取付け部材周壁を嵌合させ、又該部材頂壁から起立させた連結筒へ、横歯付き櫛部材の管状柄を嵌合させた櫛付き容器において、上記容器を持って行う櫛使用が便利であるよう設けた。【解決手段】上記連結筒20を左右方向へ長いほぼ楕円形状をなす取付け部材頂壁12の左右方向一端寄り部分から起立させると共に、該連結筒20に嵌合されて起立する櫛部材61の各櫛歯63先端部を、上記連結筒20を起立する側の容器側面を上方延長させた面よりも、外方まで突出させた。【選択図】  図１
2004202088.tif 000002
【特許請求の範囲】
【請求項１】
一体的に連結された左右一対のエアゾール缶1a,1a を容器１として該容器外面へ、左右方向へ長い横断面楕円形状の周壁13下部を嵌合させて取付け部材11を設け、該取付部材頂壁12から起立する連結筒20へ、上下平行に横方向へ複数櫛歯63を突出する櫛部材61の管状柄62下部を嵌合させ、上記エアゾール缶頂壁に貫設されかつ付勢されて上方突出するステム７，７の押下げ操作により、上記取付け部材11および櫛部材61が有する流路を通って容器内液体が吐出可能に設けた櫛付き容器において
上記連結筒20を、取付け部材頂壁12の左右方向一端寄り部分から起立させると共に、該連結筒に嵌合されて起立する櫛部材61の各櫛歯先端部を、上記連結筒起立側の容器側面の上方延長面よりも外方まで突出させた
ことを特徴とする櫛付き容器。
【請求項２】
取付け部材11の頂壁から抱持筒18を垂下させて該抱持筒18内へ、第１通路管31と該第１通路管上方に位置する第２通路管41とを、これ等両通路管が共に上下動可能に装着させ、第１通路管31の左右両部下面から上記両ステム７，７へそれぞれ嵌合させたステム嵌合筒32,32 を垂下させると共にそれ等両ステム嵌合筒の中間部から第２通路管嵌合筒33を起立し、又第２通路管41から垂下させた短筒42を上記第２通路管嵌合筒33へ嵌合させると共に、該第２通路管上面から起立させた摺動筒43を、上記連結筒20内面へ上下動可能に嵌合させた
ことを特徴とする、請求項１記載の櫛付き容器。
【請求項３】
主板53の左右両側から後方突出させた腕板54,54 間に上記第２通路管嵌合筒33と短筒42との嵌合部分を介在させて、それ等腕板外面から突出させたピン55,55 を、取付け部材11頂壁の左右両部から垂下させた軸受け板19,19 へ枢着させると共に、両腕板下面から垂下させた突部56,56 を第１通路管31の左右両部上面へ当接させ、又主板53から柄52を、上記抱持筒18と取付け部材11の周壁に穿設した窓18a,13a 内を通って前方突出するレバー部材51を設けて、柄前部押下げにより上記ピン55,55 を中心とする回動により、上記両通路管31,41 とステム７，７とを押下げ可能に形成した
ことを特徴とする、請求項２記載の櫛付き容器。
【請求項４】
上記両エアゾール缶1a,1a 上部を一体的に緊縛する緊縛筒２を設けて該緊縛筒の左右外壁面から嵌合突部６，６を外方突出させると共に、上記取付け部材11周壁13の左右両側壁部分を、割溝孔14穿設により縦長な長板状で、かつ上下方向中間の前後両側の下方寄り部分へ連結子15,15 を残した回動板16,16 に形成し、又これ等両回動板の下部には上記嵌合突部６，６を嵌合させた嵌合孔17,17 を穿設し、
上記回動板16,16 上部の内方押込みによる連結子15,15 の弾性変形で回動板16,16 下部が外方へ移動することで嵌合突部６，６が嵌合孔17,17 から外れて、該状態では緊縛筒２付きの容器１から、櫛部材61付きの取付け部材11を取外し可能に形成した
ことを特徴とする、請求項１記載の櫛付き容器。
【発明の詳細な説明】
【０００１】
【発明の属する技術分野】
本発明は櫛付き容器に関する。
【０００２】
【従来の技術】
エアゾール缶上部へ、下部周壁を嵌合させて取付け部材を起立させ、上下平行に横方向へ複数櫛歯を突出する櫛部材の管状柄を、上記取付け部材が形成する差込み孔内に通して上記エアゾール缶頂壁を貫通しかつ上方付勢されて起立するステムへ嵌合させ、該ステム押下げ操作によりエアゾール缶内液体が管状柄内を通って上記櫛歯から吐出するよう設けた櫛付き容器が知られている（特許文献１参照）。
【０００３】
【特許文献１】
特開平１−２０６４５６号公報
【０００４】
【発明が解決しようとする課題】
例えば白髪染め等の液体は、Ａ液とＢ液とを使用時混合させて使用することが多く、そのためには上記従来例のエアゾール缶を、Ａ液入りとＢ液入りの二個とし、これ等二個のエアゾール缶を一体的に連結させて一箇の容器と考え、該容器上部に取付け部材周壁を嵌合させ、又該取付け部材へ櫛部材の管状柄下部を嵌合させて、上記二個のエアゾール缶から起立する二つのステム押下げ操作で、それ等二個のエアゾール缶内のＡ液とＢ液とが取付け部材内で混合されて櫛歯部分から吐出できるよう設けることが望ましい。
【０００５】
しかしこのようにすると、二個のエアゾール缶を連結することで形成した容器外形は、その横断面が、二箇の円を並べたほぼ横長の楕円形状となるため、該容器は持ち難く、よって主として一方のエアゾール缶の胴部部分を持って櫛付き容器を使用することとなる。このような使用をすると、上記取付け部材上面からの櫛部材管状柄の起立位置によっては櫛使用時に上記握持しない一方エアゾール缶の上部外面が邪魔となることが生ずる。
【０００６】
本発明はそのような不便が生じないようにすることを主たる目的とするものである。
【０００７】
【課題を解決するための手段】
第１の手段として一体的に連結された左右一対のエアゾール缶1a,1a を容器１として該容器外面へ、左右方向へ長い横断面楕円形状の周壁13下部を嵌合させて取付け部材11を設け、該取付部材頂壁12から起立する連結筒20へ、上下平行に横方向へ複数櫛歯63を突出する櫛部材61の管状柄62下部を嵌合させ、上記エアゾール缶頂壁に貫設されかつ付勢されて上方突出するステム７，７の押下げ操作により、上記取付け部材11および櫛部材61が有する流路を通って容器内液体が吐出可能に設けた櫛付き容器において
上記連結筒20を、取付け部材頂壁12の左右方向一端寄り部分から起立させると共に、該連結筒に嵌合されて起立する櫛部材61の各櫛歯先端部を、上記連結筒起立側の容器側面の上方延長面よりも外方まで突出させた。
【０００８】
第２の手段として、上記第１の手段を有すると共に取付け部材11の頂壁から抱持筒18を垂下させて該抱持筒18内へ、第１通路管31と該第１通路管上方に位置する第２通路管41とを、これ等両通路管が共に上下動可能に装着させ、第１通路管31の左右両部下面から上記両ステム７，７へそれぞれ嵌合させたステム嵌合筒32,32 を垂下させると共にそれ等両ステム嵌合筒の中間部から第２通路管嵌合筒33を起立し、又第２通路管41から垂下させた短筒42を上記第２通路管嵌合筒33へ嵌合させると共に、該第２通路管上面から起立させた摺動筒43を、上記連結筒20内面へ上下動可能に嵌合させた。
【０００９】
第３の手段として、上記第２の手段を有すると共に主板53の左右両側から後方突出させた腕板54,54 間に上記第２通路管嵌合筒33と短筒42との嵌合部分を介在させて、それ等腕板外面から突出させたピン55,55 を、取付け部材11頂壁の左右両部から垂下させた軸受け板19,19 へ枢着させると共に、両腕板下面から垂下させた突部56,56 を第１通路管31の左右両部上面へ当接させ、又主板53から柄52を、上記抱持筒18と取付け部材11の周壁に穿設した窓18a,13a 内を通って前方突出するレバー部材51を設けて、柄前部押下げにより上記ピン55,55 を中心とする回動により、上記両通路管31,41 とステム７，７とを押下げ可能に形成した。
【００１０】
第４の手段として、上記第１の手段を有すると共に上記両エアゾール缶1a,1a 上部を一体的に緊縛する緊縛筒２を設けて該緊縛筒の左右外壁面から嵌合突部６，６を外方突出させると共に、上記取付け部材11周壁13の左右両側壁部分を、割溝孔14穿設により縦長な長板状で、かつ上下方向中間の前後両側の下方寄り部分へ連結子15,15 を残した回動板16,16 に形成し、又これ等両回動板の下部には上記嵌合突部６，６を嵌合させた嵌合孔17,17 を穿設し、
上記回動板16,16 上部の内方押込みによる連結子15,15 の弾性変形で回動板16,16 下部が外方へ移動することで嵌合突部６，６が嵌合孔17,17 から外れて、該状態では緊縛筒２付きの容器１から、櫛部材61付きの取付け部材11を取外し可能に形成した。
【００１１】
【発明の実施の形態】
以下図面について説明すると、１は左右一対のエアゾール缶1a,1a を一体的に緊縛して形成した容器で、２は緊縛筒である。該緊縛筒は、頂壁３外周から垂下させた周壁４を二箇のエアゾール缶上部外面へ嵌合させると共に頂壁３の左右には透孔を穿設し、又頂壁左右方向中間部からはエアゾール缶の上記対向部分外面へ嵌合させた壁部５，５を垂下している。尚図示例にあっては周壁４の左右両部の下部外面からは嵌合突部６，６を外方へ突出させている。周壁４の前後両部分の下部からも突部を突出させているが、これ等突部は後述する取付け部材周壁内面への当接用の突部である。
【００１２】
11は後述櫛部材装着用の取付け部材で、横長楕円形状の頂壁12外周から上記容器外面へ嵌合させる周壁13を垂下する。該周壁は、その下方部分を既述緊縛筒２外面へ嵌合させている。
【００１３】
図示例にあってはその周壁13の左右両部は図３が示すように割溝孔14穿設により、縦長な板状で、かつ上下方向中間の前後両側の下方寄り部分へ連結子15,15 を残した回動板16,16 に形成し、又これ等両回動板の下部には上記嵌合突部６，６を嵌合させた嵌合孔17,17 を穿設している。
【００１４】
頂壁12の外周寄り部分からは抱持筒18を垂下し、更に抱持筒左右両部のやや内方部分からは軸受け板19,19 を垂下している。
【００１５】
図１において頂壁左方部分を、上部小径のテーパ状連結筒20として起立させている。又該連結筒の上部内面からは通路筒21を垂下し、該通路筒の上部内面からは支持筒22を起立する。
【００１６】
上記抱持筒の下部内へは、第１通路管31の左右両側から、既述エアゾール缶上面から上方付勢されて起立するステム７，７の上部外面へ嵌合させたステム嵌合筒32,32 を垂下し、又第１通路管31の左右方向中間上面からは第２通路管嵌合筒33を起立する。
【００１７】
41は第２通路管で、該第２通路管下面から垂下させた短筒42を上記第２通路管嵌合筒33外面へ水密に嵌合させ、第２通路管両端は閉塞すると共に上面からは既述通路筒21の下部内面へ摺動可能に嵌合させた摺動筒43を起立する。
【００１８】
51は、上記第１、第２通路管31,41 押下げ用のレバー部材で、図２が示すように取付け部材の周壁13の上部および抱持筒18の各前壁部分に穿設した窓13a,18a から前方突出させた柄52後端に左右方向へ長い主板53を付設し、該主板の左右両側から上記短筒42を介在させて腕板54,54 を後方突出し、これ等両腕板の左右外面から突出させたピン55,55 を既述軸受け板19,19 へ枢着させている。又上記腕板54,54 の基部下面からは突部56,56 を垂下させて、これ等下端を既述第１通路管31の上面へ当接させている。
【００１９】
61は櫛部材で、管状柄62の下方部分を除く一方側面から複数の櫛歯63を上下平行に横外方へ突出し、管状柄上端面は閉塞してその管状柄が有する管孔と各櫛歯の軸線上に設けた櫛歯孔とを連通させ、櫛歯孔は櫛歯先端部に穿設した流出口64と連通させている。又管孔の下端部を除く下方部分内へは螺線状流路を有する公知のミキシングパイプ65を嵌合させている。
【００２０】
該櫛部材61は、管状柄62下端部を既述テーパ状の連結筒20の上部内へ差込み、通路筒21と支持筒22との間へ水密に嵌合させている。
【００２１】
上記構成において、レバー部材51の柄52前部を押下げすると、ピン55,55 を中心として回動することで突部56,56 が第１、第２通路管31,41 を押下げ、ステム７，７を押下げる。第２通路管41から起立する摺動筒43は通路筒21内へ水密に嵌合されたまま下降し、よって両ステム内から噴出された液体は第１、第２通路管31,41 および支持筒22内を通って櫛部材61の管状柄62内へ入り、更に櫛歯孔内を通って吐出される。
【００２２】
上記レバー部材の柄52押下げを解放すると、付勢に抗して押下げられていたステム７，７が上昇することで、第１、第２通路管31,41 が押上げられ、レバー部材51もピン55,55 を中心として回動して図２のように元の位置へ復帰する。
【００２３】
上記櫛付き容器を使用する際は、連結筒20を起立しない側の取付け部材の下方、つまり図右方のエアゾール缶1aを持ち、櫛歯63で髪を整髪し乍らレバー部材の柄52先端部を押下げ、液状の整髪料を各櫛歯の流出口64から吐出させる。
既述エアゾール缶を別として、各部材はそれぞれ合成樹脂材で成形している。
【００２４】
【発明の効果】
本発明は既述構成とするもので、請求項１記載のように形成したから、左右一対のエアゾール缶を一体的に緊縛して容器としたに拘らず、櫛の使用が不便となることがない。即ち、上記のように二箇のエアゾール缶を一体的に連結した容器へ嵌合させる取付け部材11の周壁は横断面横長の周壁となり、その頂壁も左右方向へ長いほぼ楕円形状となるから、その頂壁から連結筒を介して起立させる櫛部材61の位置によって、上記容器を持って行う櫛の使用に不便を来すこととなるが、請求項１のように取付け部材頂壁12の左右方向一端寄り部分から連結筒20を起立させ、かつ該連結筒に嵌合されて起立する櫛部材の各櫛歯63先端部を容器の連結筒側の側面を上方へ延長した面よりも外方まで突出させることでその不便を解消することが出来る。
【００２５】
請求項２のように第１通路管31の第２通路管嵌合筒33を、左右に設けたステム嵌合筒32,32 中間の第１通路管部分から起立させたことで、両エアゾール缶の各ステムから噴出されて第１通路管内へ入る二種の液体は、第２通路管嵌合筒33内へほぼ同時に、かつほぼ同量宛入ることとなり、よって両エアゾール缶内に収納されたＡ液とＢ液とをほぼ均等に第２通路管41内へ流入させて混合させることが出来る。
【００２６】
請求項３のようにすることで、二箇のステムをほぼ同時にかつ均等に押下げ、又ほぼ同時にステムを上昇させることが出来るからそれ等ステムからの液体噴出をほぼ同時に噴出させ、又停止させることが出来る。
【００２７】
請求項４のようにすることで取付け部材11に対する容器の交換が容易となる。
【図面の簡単な説明】
【図１】本発明容器の縦断面図である。
【図２】図１Ａ−Ａ線を矢示方向へみた断面図である。
【図３】図１容器一部の斜視図である。
【符号の説明】
１…容器                1a…エアゾール缶
11…取付け部材          12…頂壁
13…周壁                16…回動板
18…抱持筒              21…通路筒
31…第１通路管          41…第２通路管
51…レバー部材          61…櫛部材
62…管状柄
【図１】
2004202088.tif 000003
【図２】
2004202088.tif 000004
【図３】
2004202088.tif 000005